(57)【要約】【課題】水と空気とが供給されることによって前記水を噴霧する噴霧ノズルを備えた室外機であって消費電力をより抑えることができる空気調和装置の室外機を提供することを課題とする。【解決手段】本発明は、空気調和装置１の室外機１０であって、熱交換器１２と、水と所定の圧力の空気とが供給されることにより前記水を噴霧して熱交換器１２を冷却する噴霧ノズル２２と、空気を昇圧させて噴霧ノズル２２に供給する空気昇圧装置５０と、を備える。そして、空気昇圧装置５０は、噴霧ノズル２２に供給される水の流れによるエネルギーを駆動源にして前記空気を昇圧させることを特徴とする。【選択図】図２
2013104609.tif 000002
【特許請求の範囲】
【請求項１】
空気調和装置（１）の室外機（１０）であって、
熱交換器（１２）と、
水と所定の圧力の空気とが供給されることにより前記水を噴霧して前記熱交換器（１２）を冷却する噴霧ノズル（２２）と、
空気を昇圧させて前記噴霧ノズル（２２）に供給する空気昇圧装置（５０）と、を備え、
前記空気昇圧装置（５０）は、前記噴霧ノズル（２２）に供給される水の流れによるエネルギーを駆動源にして前記空気を昇圧させる、空気調和装置の室外機。
【請求項２】
内部に所定の容積の収容空間（ｓ）を有し、且つ、前記空気昇圧装置（５０）から排出される空気を前記収容空間（ｓ）内に収容すると共にこの収容した空気を前記噴霧ノズル（２２）に向けて排出する容器（６０）を備える請求項１に記載の空気調和装置の室外機。
【請求項３】
前記容器（６０）から前記噴霧ノズル（２２）に供給される空気の流路を開閉可能な弁（６２）を備える請求項２に記載の空気調和装置の室外機。
【発明の詳細な説明】
【技術分野】
【０００１】
本発明は、冷媒が循環して蒸気圧縮式の冷凍サイクルを行う空気調和装置の室外機に関する。
【背景技術】
【０００２】
従来、熱交換器に水を噴霧することにより冷却効率を向上させた、空気調和装置の室外機として、特許文献１に記載のものが知られている。
【０００３】
具体的に、室外機は、図５に示されるように、熱交換器１０２と、水と所定の圧力の空気とが供給されることにより前記水を噴霧する噴霧ノズル１０４と、前記所定の圧力の空気を噴霧ノズル１０４に供給する噴霧用コンプレッサー等の空気昇圧装置（図示省略）と、を備える。この室外機１００では、噴霧ノズル１０４が噴霧する水の蒸発潜熱を利用して熱交換器１０２を冷却することにより、熱交換器１０２における冷媒の冷却効率を向上させ、これにより、冷凍サイクルを行うための消費電力の削減を図っている。
【先行技術文献】
【特許文献】
【０００４】
【特許文献１】特許第３７０７７３７号公報
【発明の概要】
【発明が解決しようとする課題】
【０００５】
上記のように、室外機１００においては、上記のように噴霧される水の蒸発潜熱を利用して熱交換器１０２での冷媒の冷却効率を向上させることによって、冷凍サイクルを行うための消費電力は抑えられている。
【０００６】
しかし、この室外機１０では、噴霧ノズル１０４に所定の圧力の空気を供給するために空気昇圧装置を駆動させなければならず、冷凍サイクルを行うために消費される電力以外に前記空気昇圧装置を駆動させるための電力が必要であったため、運転条件によって室外機１０全体での消費電力の削減効果が十分に得られない場合があった。
【０００７】
そこで、水と空気とが供給されることによって前記水を噴霧する噴霧ノズルを備えた室外機であって消費電力をより抑えることができる空気調和装置の室外機を提供することを課題とする。
【課題を解決するための手段】
【０００８】
上記課題を解消すべく、本発明は、空気調和装置（１）の室外機（１０）であって、熱交換器（１２）と、水と所定の圧力の空気とが供給されることにより前記水を噴霧して前記熱交換器（１２）を冷却する噴霧ノズル（２２）と、空気を昇圧させて前記噴霧ノズル（２２）に供給する空気昇圧装置（５０）と、を備え、前記空気昇圧装置（５０）は、前記噴霧ノズル（２２）に供給される水の流れによるエネルギーを駆動源にして前記空気を昇圧させる。
【０００９】
かかる構成によれば、空気昇圧装置（５０）が噴霧ノズル（２２）に供給される水の流れを駆動源にしているため、噴霧ノズル（２２）に所定の圧力の空気を供給する際の当該空気昇圧装置（５０）における消費電力を無くす若しくは抑制することができる。これにより、噴霧した水の蒸発潜熱を利用して熱交換器（１２）における冷媒の高い冷却効率を維持しつつ室外機（１０）における消費電力を抑えることができる。
【００１０】
本発明に係る空気調和装置（１）の室外機（１０）は内部に所定の容積の収容空間（ｓ）を有し、且つ、前記空気昇圧装置（５０）から排出される空気を前記収容空間（ｓ）内に収容すると共にこの収容した空気を前記噴霧ノズル（２２）に向けて排出する容器（６０）をさらに備えることが好ましい。
【００１１】
かかる構成によれば、空気昇圧装置（５０）から排出される空気が一旦容器（６２）内に収容された後、噴霧ノズル（２２）に供給されることにより、噴霧ノズル（２２）に供給される空気の圧力脈動を抑制することができる。また、容器（６０）は、所定の容積の収容空間（ｓ）内に収容された空気を噴霧ノズル（２２）に向けて排出するため、空気昇圧装置（５０）から昇圧された空気が直接噴霧ノズル（２２）に供給される場合に比べ、空気の圧力低下が生じ難い。
【００１２】
この場合、前記室外機（１０）は、前記容器（６０）から前記噴霧ノズル（２２）に供給される空気の流路を開閉可能な弁（６２）を備えることがより好ましい。かかる構成によれば、噴霧ノズル（２２）への空気の供給と停止との切り換えが容易になる。
【発明の効果】
【００１３】
以上より、本発明によれば、水と空気とが供給されることによって前記水を噴霧する噴霧ノズルを備えた室外機であって消費電力をより抑えることができる空気調和装置の室外機を提供することができる。
【図面の簡単な説明】
【００１４】
【図１】本実施形態に係る空気調和装置の概略構成図である。
【図２】前記空気調和装置の室外機の概略構成図である。
【図３】前記室外機の斜視図である。
【図４】前記室外機の噴霧装置における噴霧ノズルの拡大断面図である。
【図５】熱交換器に水を噴霧する方式の従来の室外機を説明するための図である。
【発明を実施するための形態】
【００１５】
以下、本発明の一実施形態について、添付図面を参照しつつ説明する。
【００１６】
本実施形態に係る室外機は、例えば、図１に示される空気調和装置１に用いられる。この空気調和装置１は、室外機１０と、室内機２と、これらを接続する冷媒配管３，３とを備える。
【００１７】
室外機１０は、図２及び図３にも示されるように、熱交換器１２と、膨張機構１３と、吸込み空気用ファン１４と、四方切換弁１５と、圧縮機１６と、温度センサ（吸込み空気温度検出部）１８と、噴霧装置２０と、室外機制御部３０と、を備える。尚、図２では、説明の便宜のため、噴霧装置２０の一部が省略され、また、図３では、噴霧装置２０の噴霧ノズル２２に接続される水用流路部２４０等が省略されている。
【００１８】
熱交換器１２は、内部を冷媒が流れる伝熱管（図示省略）と、前記伝熱管が貫通する多数のプレートフィン（図示省略）と、を備える。この熱交換器１２では、伝熱管の管壁とプレートフィンとを介して伝熱管内を流れる冷媒とプレートフィン同士の間を流れる外気（空気）との間で熱交換が行われる。本実施形態の熱交換器１２は、例えば、クロスフィンコイル式の熱交換器であるが、これに限定されない。
【００１９】
この熱交換器１２は、ケーシング１１の底板１１ａから上方に向かって立設され、例えば、ケーシング１１を構成する側面板１１ｂ及び背面板１１ｃに沿うように平面視においてＬ字状、Ｕ字状、又はコ字状に配置される。尚、ケーシング１１の側面板１１ｂ及び背面板１１ｃにおける熱交換器１２と対向する領域には、外気がケーシング１１内部に流入できるように開口（図示省略）がそれぞれ設けられている。
【００２０】
吸込み空気用ファン１４は、熱交換器１２に外気（吸込み空気）を導くものであり、羽根車１４ａと、この羽根車１４ａを回転させるモータ（図示省略）とを備える。本実施形態の吸込み空気用ファン１４は、ケーシング１１の天板１１ｄに配置される。この吸込み空気用ファン１４は、側面板１１ｂ及び背面板１１ｃの熱交換器１２と対向する領域に設けられた前記開口からケーシング１１内に外気を引き込み、この引き込んだ外気を天板１１ｄ側から外部に排出する（図２の矢印参照）。尚、天板１１ｄにおける吸込み空気用ファン１４（羽根車１４ａ）が配置された位置には、ケーシング１１の内部と外部とを連通する開口（図示省略）が設けられている。
【００２１】
圧縮機１６は、当該圧縮機１６の駆動によって室外機１０と室内機２との間において冷媒を循環させる。
【００２２】
温度センサ１８は、室外機制御部３０に接続され、ケーシング１１内に吸気される吸込み空気の温度を測定し、測定結果に応じた空気温度信号を出力する。
【００２３】
噴霧装置２０は、空気調和装置１の冷房運転時において水を噴霧することにより、熱交換器１２に向かう外気（吸込み空気）を冷却する。この吸込み空気の流れは、上記の吸込み空気用ファン１４の駆動によって形成される。このように、噴霧装置２０は、水を霧状に噴霧し、その蒸発潜熱を利用して熱交換器１２を補助的（間接的）に冷却することによって、熱交換器１２における冷媒の冷却効率の向上を図る（即ち、空気調和装置１の冷房能力の向上を図る）。
【００２４】
具体的に、噴霧装置２０は、複数の噴霧ノズル２２と、水供給機構２４と、エア供給機構２６と、を備える。本実施形態の室外機１０では、各噴霧ノズル２２に対して水供給機構２４と、エア供給機構２６とがそれぞれ接続されている。図２においては、一つの噴霧ノズル２２と、この噴霧ノズル２２に接続された水供給機構２４及びエア供給機構２６とを示しており、他の噴霧ノズル２２及びこれに接続される水供給機構２４及びエア供給機構２６の図示を省略している。これら他の噴霧ノズル２２と、これに接続される水供給機構２４及びエア供給機構２６との構成は、図２に示されるものと同様であるため説明を省略する。尚、噴霧ノズル２２の配置される数は、複数に限定されず、１つでもよい。
【００２５】
各噴霧ノズル２２は、熱交換器１２を冷却するための水を噴霧するノズルであり、ケーシング１１に設けられた誘導板１１０によって支持される。尚、図２における誘導板１１０は、噴霧装置２０の説明の便宜のために模式的に記載されているため、ケーシング１１に対する寸法の比率が実際のものと異なっている。
【００２６】
誘導板１１０は、ケーシング１１の側面板１１ｂ及び背面板１１ｃの外面側において、前記開口が設けられた領域（熱交換器１２と対向する領域）を囲うように設けられる（図３参照）。この誘導板１１０は、噴霧ノズル２２から噴霧された水（液滴）が熱交換器１２以外に散逸するのを防いで前記水を噴霧された吸込み空気が熱交換器１２に到達するように空気の流れを誘導するためのものである。この誘導板１１０における、側面板１１ｂ及び背面板１１ｃとは反対側の端部には、誘導板１１０に囲まれた領域を覆うように金網１１１が配置されている。そして、誘導板１１０の対向する部位間に架橋された固定部材（本実施形態では、水平方向に架橋された部材）１１２に各噴霧ノズル２２が固定されている。
【００２７】
複数の噴霧ノズル２２は、噴霧装置２０による冷却効果が熱交換器１２のほぼ全体に及ぼされるように、互いに間隔をあけて配置される。
【００２８】
噴霧ノズル２２は、図４にも示されるように、胴部２２０と、この胴部２２０の先端（水の流れ方向における下流側）に設けられるオリフィス部２２１と、を有する。また、胴部２２０は、水供給機構２４から供給された水に気体（本実施形態では空気）を供給し、この水の中に多数の気泡を形成する気泡形成部２２０Ｂと、多数の気泡を含んだ状態の水をオリフィス部２２１まで案内する案内部２２０Ａと、を有する。このように構成されることによって、気泡形成部２２０Ｂにおいて水の中に多数の気泡が形成され、この状態の水が案内部２２０Ａによってオリフィス部２２１まで案内されることにより多数の気泡と水とが十分に混ざり、これら各気泡がオリフィス部２２１から外部に噴出されるときの圧力差によってそれぞれはじけ、噴霧ノズル２２（オリフィス部２２１）から噴出される水が微細な霧状となる。即ち、当該噴霧ノズル２２によれば、水中に多数の気泡を形成してこの気泡を圧力差によってはじけさせて水を霧状にすることにより、従来のいわゆる２流体ノズルのように高圧の空気の流れによるせん断力を利用して水を霧状にする場合に比べ、使用空気量を少なくすることができると共に液滴の大きさも小さくすることができる。
【００２９】
胴部２２０は、水供給機構２４から供給される水をオリフィス部２２１まで案内すると共に、エア供給機構２６から供給される空気によって水の中に多数の気泡を形成する。この胴部２２０は、水案内配管２２２と、空気案内配管２２４と、を有する。
【００３０】
水案内配管２２２は、水供給機構２４から供給された水をオリフィス部２２１まで案内する水流路を形成する管である。この水案内配管２２２は、所定の内径を有する管であり、その基端（水の流れ方向における上流端）２２２ｂが後述の水用流路部２４０の下流端に接続されると共にその先端（水の流れ方向における下流端）２２２ａがオリフィス部２２１に接続される。水案内配管２２２は、先端部に設けられた混和領域２２２Ａと、その上流側に設けられた気泡形成領域２２２Ｂとを有する。
【００３１】
気泡形成領域２２２Ｂは、エア供給機構２６から供給された空気を水案内配管２２２内を流れる水の中に導入（供給）して多数の気泡を水中に形成する領域である。この気泡形成領域２２２Ｂの管壁には、水案内配管２２２の内側と外側とを連通する複数の孔２２３が形成され、この孔２２３を通じて水案内配管２２２内を流れる水の中に空気が供給される。
【００３２】
混和領域２２２Ａは、多数の気泡が内部に形成された状態の水を所定の距離流すことにより、水の中に形成された多数の気泡を水と十分に混ぜあわせるための領域である。即ち、気泡形成領域２２２Ｂでは、管壁に形成された孔２２３を通じて水の中に空気が供給されるために管壁近傍に気泡が形成され易いが、この状態の水が混和領域２２２Ａにおいて所定の距離流れることによって気泡と水とが十分に混ざる。これにより、オリフィス部２２１から噴出される霧状の水（液滴）の大きさのむらを抑えることができる。この混和領域２２２Ａは、気泡を含む水を流したときに、気泡と水とが十分に混ざる長さ（水案内配管２２２の軸方向の長さ）寸法に設定されている。
【００３３】
空気案内配管２２４は、水案内配管２２２の外側に配置される管である。具体的に、空気案内配管２２４は、水案内配管２２２の外径よりも大きな内径を有し、水案内配管２２２の軸と当該空気案内配管２２４の軸とが一致するように配置される。この空気案内配管２２４は、水案内配管２２２よりも軸方向の長さ寸法が小さい。空気案内配管２２４の先端２２４ａは、水案内配管２２２の先端２２２ａ同様にオリフィス部２２１（オリフィス部２２１の裏面２２１ｂ）に接続され、水案内配管２２２の基端２２２ｂは、空気案内配管２２４の基端２２４ｂから軸方向に突出している。空気案内配管２２４の基端部２２４ｂでは、その内周面と水案内配管２２２の外周面との間が閉塞部材２２５によって塞がれている。
【００３４】
胴部２２０において、閉塞部材２２５、水案内配管２２２の外周面、空気案内配管２２４の内周面、及びオリフィス部２２１によって囲まれた空間が、エア供給機構２６から供給された空気を水案内配管２２２の気泡形成領域２２２Ｂに設けられた孔２２３まで案内する空気流路となる。
【００３５】
また、空気案内配管２２４には、エア供給機構２６（詳しくは第３流路部２６４）が接続される接続部２２６が設けられ、この接続部２２６に接続されたエア供給機構２６から供給された空気が当該接続部２２６を介して空気流路に導入される。
【００３６】
以上のように構成される本実施形態の胴部２２０では、軸方向において、混和領域２２２Ａに対応する部位が案内部２２０Ａであり、気泡形成領域２２２Ｂに対応する部位が気泡形成部２２０Ｂである。
【００３７】
オリフィス部２２１は、胴部２２０によって案内された気泡を含む水を外部（噴霧ノズル２２の外部）に噴出させる。本実施形態のオリフィス部２２１は、胴部２２０の軸方向と直交する方向に拡がる円板形状を有する。このオリフィス部２２１は、水案内配管２２２と空気案内配管２２４との先端２２２ａ、２２４ａに接続されている。オリフィス部２２１は、軸方向に水流路と噴霧ノズル２２の外部とを連通する噴霧孔２２９を有する。この噴霧孔２２９は、オリフィス部２２１の裏面２２１ｂから先端面（水の流れ方向の下流側の面）２２１ａに向かって径が漸減するテーパ面２２９Ａと、テーパ面２２９Ａの先端から延びる円筒面２２９Ｂと、によって規定される。
【００３８】
尚、噴霧ノズル２２は、以上の構成に限定されず、水と空気とが供給されることにより前記水を噴霧可能なノズルであればよい。例えば、噴霧ノズルは、水と高圧の空気とが供給され、前記空気の流れによる剪断力を利用して水を噴霧する所謂２流体ノズルであってもよい。
【００３９】
図２に戻り、水供給機構２４は、例えば水道やタンク等の水供給源（図示省略）から噴霧ノズル２２まで水を案内する流路を形成する水用流路部２４０と、流路内を流れる水を噴霧ノズル２２に向けて加圧する水用ポンプ２４２と、を有する。この水用ポンプ２４２は、室外機制御部３０に接続され、室外機制御部３０からの制御信号に基づいて駆動する。具体的に、室外機制御部３０は、温度センサ１８によって測定された吸込み空気の温度が所定の温度以上に達すると、冷房運転の負荷が所定のレベルを超えた状態となるため、水用ポンプ２４２を駆動させ、噴霧装置２０から水を噴霧させる。
【００４０】
尚、水供給源から噴霧装置２０に十分な圧力で水が供給される場合には、水供給機構２４においてポンプ２４２が省略されてもよい。
【００４１】
エア供給機構２６は、外気（空気）を吸気すると共に噴霧ノズル２２に向けて送り出す空気昇圧装置５０と、バッファータンク（容器）６０と、外気を空気昇圧装置５０まで案内する第１流路部２６０と、空気昇圧装置５０が排出する空気をバッファータンク６０まで案内する第２流路部２６２と、バッファータンク６０が排出する空気を噴霧ノズル２２（詳しくは、胴部２２０の接続部２２６）まで案内する第３流路部２６４と、第３流路部２６４において空気の流れ方向における中間位置に取り付けられる電磁弁（弁）６２と、を有する。
【００４２】
空気昇圧装置５０は、噴霧ノズル２２に供給される水の流れを駆動源にして空気を昇圧させる。具体的に、空気昇圧装置５０は、変換部５２と、この変換部５２に回転駆動軸５４を介して接続される昇圧機構部５６と、を備え、吸気した空気を昇圧させて噴霧ノズル２２に供給する。
【００４３】
変換部５２は、水用流路部２４０に取り付けられ、水用流路部２４０内の水の流れを回転動力に変換する。具体的に、変換部５２は、例えば水車のように、水流を羽根車（図示省略）の羽根にあててこの羽根車を回転させ、これにより、水の流れを回転動力に変換する。羽根車の軸（回転駆動軸）２４は昇圧機構部５６まで延び、羽根車の回転によって得られた回転動力は、回転駆動軸５４によって昇圧機構部５６に伝達される。
【００４４】
昇圧機構部５６は、回転駆動軸５４により伝達された回転動力を用いて空気（外気）を吸気し、この吸気した空気（大気圧の空気）を所定の圧力まで昇圧させて排出する。この昇圧機構部５６には、第１流路部２６０と第２流路部２６２とが接続され、昇圧機構部５６は、第１流路部２６０を通じて外気（空気）を吸気し、所定の圧力まで昇圧させた空気を第２流路部２６２を通じてバッファータンク６０に供給する。本実施形態の昇圧機構部５６では、複数の歯車等が組み合わされ、これら複数の歯車によって変換部５２から伝達された回転動力が増幅されている。
【００４５】
バッファータンク６０は、噴霧ノズル２２に供給される空気の圧力を安定させる。具体的に、バッファータンク６０は、内部に所定の容積の収容空間ｓを有し、空気昇圧装置５０から排出される空気を一旦収容空間ｓに収容した後、噴霧ノズル２２に向けて排出する。このように空気昇圧装置５０からの空気が一旦バッファータンク６０内に蓄えられた（収容された）後、排出されることにより、排出される空気において圧力脈動が抑えられる。また、バッファータンク６０は、空気昇圧装置５０から噴霧ノズル２２に供給される空気の流路の途中（中間位置）に当該タンク６０が設けられることによってその内部（所定の容積の収容空間ｓ内）に十分な量の空気が収容され、これにより、水を噴霧する際に十分な圧力及び流量の空気を噴霧ノズル２２に確実に供給することができる。尚、バッファータンク６０には、収容空間ｓ内の圧力（空気圧）を測定する圧力計等が設けられ、この圧力計等による測定結果は、室外機制御部３０に出力される。
【００４６】
電磁弁６２は、第３流路部２６４内を流れる空気の流量を調整する。この電磁弁６２は、室外機制御部３０に接続され、この室外機制御部３０からの指示信号に従ってその開度を調整する。尚、電磁弁は、流量調整弁に限定されず、例えば、弁の開度を調整できず、流路の開閉のみを行う開閉弁であってもよい。
【００４７】
このように構成される空気昇圧装置５０及びバッファータンク６０等では、以下のようにして水の流れを駆動源にして空気を昇圧している。
【００４８】
噴霧ノズル２２から水が噴霧されることにより、水用流路部２４０内の水の流れを空気昇圧装置５０の変換部５２が回転動力に変換し、この回転動力を用いて昇圧機構部５６が空気（外気）を吸引してこれを昇圧する。所定の圧力まで昇圧された空気は、空気昇圧装置５０（詳しくは、昇圧機構部５６）からバッファータンク６０に供給される。このとき、室外機制御部３０が電磁弁６２を閉じることにより、バッファータンク６０内に空気昇圧装置５０からの空気が蓄えられる（収容される）。室外機制御部３０は、バッファータンク６０の収容空間ｓ内に空気が十分収容された（即ち、バッファータンク６０内が所定の圧力になった）のを前記圧力計等によって検知すると、電磁弁６２を開いてバッファータンク６０から噴霧ノズル２２に空気の供給を開始する。これにより、水を噴霧するのに十分な圧力の空気が噴霧ノズル２２に供給され、熱交換器１２に向けて水が噴霧される。このようにして、室外機１０では、噴霧ノズル２２に供給される水の流れを駆動源にして所定の圧力の空気が噴霧ノズル２２に供給される。即ち、当該室外機１０では、噴霧ノズル２２から水を噴霧させるために必要な所定の圧力の空気を電力を使用することなく噴霧ノズル２２に供給することが可能である。
【００４９】
室外機制御部３０は、上記のような水用ポンプ２４２の駆動制御の他に、室外機１０の各構成要素の制御も行う。例えば、空気調和装置１の運転時に、室外機制御部３０は、圧縮機１６を駆動させる制御を行うと共に、吸込み空気用ファン１４を駆動する制御を行う。これにより、空気調和装置１において、室外機１０と室内機２との間を冷媒が循環すると共に、外気がケーシング１１内に引き込まれて熱交換器１２が冷却される。
【００５０】
以上の空気調和装置１の室外機１０によれば、空気昇圧装置５０が噴霧ノズル２２に供給される水の流れを駆動源にしているため、噴霧ノズル２２に所定の圧力の空気を供給する際の当該空気昇圧装置５０における消費電力を無くすことができる。これにより、噴霧した水の蒸発潜熱を利用して熱交換器１２における冷媒の高い冷却効率を維持しつつ室外機１０における消費電力を抑えることができる。
【００５１】
また、本実施形態の室外機１０では、所定の容積の収容空間ｓを有するバッファータンク６０が設けられているため、空気昇圧装置５０から排出される空気が一旦バッファータンク６０内に収容された後、噴霧ノズル２２に供給され、これにより、噴霧ノズル２２に供給される空気の圧力脈動が抑制される。
【００５２】
バッファータンク６０は、所定の容積の収容空間ｓ内に収容された空気を噴霧ノズル２２に向けて排出するため、空気昇圧装置５０から昇圧された空気が直接噴霧ノズル２２に供給される場合に比べ、空気の圧力低下が生じ難い。
【００５３】
また、本実施形態の室外機１０では、バッファータンク６０から噴霧ノズル２２に供給される空気の流路（第３流路部２６４）を開閉可能な電磁弁６２が設けられているため、噴霧ノズル２２への空気の供給と停止との切り換えを容易に行うことができる。しかも、電磁弁６２は、その開度を調整することができるため、噴霧ノズル２２への空気の供給流量を容易に調整することができる。
【００５４】
尚、本発明の空気調和装置の室外機は、上記実施形態に限定されるものではなく、本発明の要旨を逸脱しない範囲内において種々変更を加え得ることは勿論である。
【００５５】
上記実施形態の空気昇圧装置５０では、変換部５２と昇圧機構部５６とが回転駆動軸５４を介して互いに連結されているが、この構成に限定されない。例えば、空気昇圧装置の変換部が羽根車の回転によって発電し、この変換部によって生成された電力を用いて昇圧機構部が空気を昇圧させる構成であってもよい。この場合、変換部と昇圧機構部とは、電線等によって導通可能に接続されていればよく、変換部と昇圧機構部とが互いに臨む位置に配置されなくてもよい、即ち、配置の自由度が向上する。
【００５６】
上記実施形態の空気昇圧装置５０は、外部から電力を供給することなく所定の圧力まで昇圧された空気が噴霧ノズル２２に供給されるように構成されているが、これに限定されない。空気昇圧装置は、空気を昇圧させるときに、変換部５２において得られた回転動力と共に、外部から供給される電力を用いるように構成されてもよい。この場合でも、従来のように、コンプレッサーのみによって空気を昇圧してこの昇圧した空気を噴霧ノズル２２に供給するのに比べて消費電力を削減することができる。
【００５７】
上記実施形態の室外機１０では、吸込み空気用ファン１４は、ケーシング１１内に引き込んだ空気（外気）を上方に向けて吹き出すように設けられているが、この位置に限定されず、前記空気をケーシング１１から横向きに吹き出すように設けられてもよい。
【符号の説明】
【００５８】
１     空気調和装置
１０   室外機
１２   熱交換器
２２   噴霧ノズル
５０   空気昇圧装置
５２   変換部
５６   昇圧機構部
６０   バッファータンク（容器）
６２   電磁弁
ｓ     収容空間
【図１】
2013104609.tif 000003
【図２】
2013104609.tif 000004
【図３】
2013104609.tif 000005
【図４】
2013104609.tif 000006
【図５】
2013104609.tif 000007